(57)【要約】【課題】折れ戸を親扉とし、片開き扉を子扉とする親子扉からなり、高い水漏れ防止性能を得ることが容易な浴室用開口部装置を提供する。【解決手段】子扉における親扉との召し合わせ側の縦框に、該縦框の高さ方向に延在するパッキンを設けると共に、前記縦框の下部に、該縦框の高さ方向に延在し、前記パッキンと見込み方向に並設された第１止水フィンと、該縦框の幅方向に延在する第２止水フィンとを設け、子扉を閉じたときに前記第１止水フィンの一端が前記ガイドレールに密着し、かつ、前記第２止水フィンが前記ガイドレールに密着するように、これら第１止水フィンおよび第２止水フィンを構成する。【選択図】　　図４
2004137775.tif 000002
【特許請求の範囲】
【請求項１】
枠体と、前記枠体に取り付けられた折れ戸からなる親扉と、前記枠体に取り付けられた片開き扉からなる子扉とを備え、前記枠体を構成する下枠に前記親扉用のガイドレールが形成されている浴室用開口部装置であって、前記子扉における前記親扉との召し合わせ側の縦框に、該縦框の高さ方向に延在するパッキンを有すると共に、前記縦框の下部に、該縦框の高さ方向に延在し、前記パッキンと見込み方向に並設された第１止水フィンと、該縦框の幅方向に延在する第２止水フィンとを有し、
前記子扉を閉じたときに、前記第１止水フィンの一端が前記ガイドレールに密着し、かつ、前記第２止水フィンが前記ガイドレールに密着することを特徴とする浴室用開口部装置。
【請求項２】
枠体と、前記枠体に取り付けられた折れ戸からなる親扉と、前記枠体に取り付けられた片開き扉からなる子扉とを備えた浴室用開口部装置であって、
前記子扉における前記親扉との召し合わせ側の縦框下部に、前記縦框の高さ方向に延在する第１止水フィンと、前記第１止水フィンの少なくとも浴室側に配置された止水壁とを有することを特徴とする浴室用開口部装置。
【発明の詳細な説明】
【０００１】
【発明の属する技術分野】
本発明は、枠体と当該枠体に取り付けられた開閉部とを有する開口部装置に係り、特に浴室用開口部装置に関する。
【０００２】
【従来の技術】
例えば車椅子の利用者が車椅子に乗ったまま、あるいは、介助者が被介助者を介助しながら浴室内に入るうえからは、浴室用開口部装置の開口幅（扉ないし戸の開口幅）をできるだけ広くすることが望まれる。
【０００３】
浴室用の開閉部としては、引き戸、片開き扉、または折れ戸が知られているが、住宅事情によって省スペース化を図る必要があるときには、多くの場合、折れ戸が使用される。
【０００４】
【発明が解決しようとする課題】
省スペース化を図りつつ浴室用開口部装置の開口幅をできるだけ広くするうえからは、浴室用開口部装置を親子扉、特に、折れ戸を親扉とし、片開き扉を子扉とする親子扉にすることが望まれる。
【０００５】
親子扉を浴室用開口部装置として用いる場合には、浴室内から浴室外へ水が流出しないように、特に親扉と子扉との召し合わせ部およびその近傍の水漏れ防止性能を高めることが重要となるが、浴室用開口部装置として利用するに十分な水漏れ防止性能を有し、かつ、その製造が容易な親子扉は未だ開発されていない。
【０００６】
例えば、子扉における親扉側の縦框の表側（浴室外側）および裏側（浴室内側）に、当該縦框の上端から下端に達するパッキンを設け、これらのパッキンと親扉とを召し合わせることにより、召し合わせ部からの水漏れを抑制することが可能である。
【０００７】
しかしながら、浴室用開口部装置の製造誤差により、上記パッキンの長手方向の一端が縦框の下端に達しなかったり、上記パッキンと親扉との間に間隙が生じたりすることがあり、これらは水漏れの原因となる。
【０００８】
そこで本発明は、折れ戸を親扉とし、片開き扉を子扉とする親子扉からなり、高い水漏れ防止性能を得ることが容易な浴室用開口部装置を提供することを課題とする。
【０００９】
【課題を解決するための手段】
以下、本発明について説明する。以下の説明では、本発明の理解を容易にするために添付図面中の参照符号を括弧書きで付記するが、それによって本発明が図示の形態に限定されるものではない。
【００１０】
本発明による第１の態様では、枠体（１０）と、前記枠体に取り付けられた折れ戸からなる親扉（２０）と、前記枠体に取り付けられた片開き扉からなる子扉（３０）とを備え、前記枠体を構成する下枠（３）に前記親扉用のガイドレール（３ａ）が形成されている浴室用開口部装置（６０）であって、前記子扉における前記親扉との召し合わせ側の縦框（３２）に、該縦框の高さ方向に延在するパッキン（３３）を有すると共に、前記縦框の下部に、該縦框の高さ方向に延在し、前記パッキンと見込み方向に並設された第１止水フィン（５０）と、該縦框の幅方向に延在する第２止水フィン（５４）とを有し、前記子扉を閉じたときに、前記第１止水フィンの一端が前記ガイドレールに密着し、かつ、前記第２止水フィンが前記ガイドレールに密着することを特徴とする浴室用開口部装置によって上記の課題を解決する。
【００１１】
ここで、本明細書でいう「浴室用開口部装置」とは、浴槽と洗い場とからなる通常の浴室への出入口として使用される開口部装置、ユニットバスへの出入口として使用される開口部装置、およびシャワールームへの出入口として使用される開口部装置の総称である。
【００１２】
この浴室用開口部装置では、親扉と召し合うようにして上記の第１止水フィンを設けることにより、たとえ浴室用開口部装置の製造誤差によって上記パッキンの長手方向の一端が上記縦框の高さ方向の下端に達しない場合であっても、あるいは、上記パッキンと親扉との間に間隙が生じた場合であっても、親扉と子扉との召し合わせ部（３５）からの水漏れを抑制することが可能になる。
【００１３】
また、上記の第２止水フィンを設けることにより、上記縦框の下端とガイドレールとの間からの水漏れを抑制することが可能になる。
【００１４】
第１止水フィンおよび第２止水フィンは、例えば、上記の縦框における親扉側の下隅に装着可能なキャップ部材（４０）の一部としてエラストマ等の弾性材料によって一体成形することにより、それぞれ、所定の機能を発揮させるうえで余裕を持った大きさのものを容易に得ることができ、かつ、子扉に容易に装着することができる。
【００１５】
したがって、第１の態様の浴室用開口部装置では、たとえ製造誤差が生じたとしても、高い水漏れ防止性能を得易い。
【００１６】
本発明による第２の態様では、枠体（１０）と、前記枠体に取り付けられた折れ戸からなる親扉（２０）と、前記枠体に取り付けられた片開き扉からなる子扉（３０）とを具備した浴室用開口部装置であって、前記子扉における前記親扉との召し合わせ側の縦框（３２）下部に、前記縦框の高さ方向に延在する第１止水フィン（５０）と、前記第１止水フィンの少なくとも浴室側に配置された止水壁（５４ａ、５４ｂ）とを有することを特徴とする浴室用開口部装置（６０）を提供して、前記の課題を解決する。
【００１７】
第２の態様による浴室用開口部装置では、親扉と召し合うようにして上記の第１止水フィンを設けることにより、第１の態様による浴室用開口部装置と同様に、親扉と子扉との召し合わせ部（３５）下部からの水漏れを抑制する。この第１止水フィンは、例えば、上記の縦框における親扉側の下隅に装着可能なキャップ部材（４０）の一部としてエラストマ等の弾性材料によって一体成形することにより、所定の機能を発揮させるうえで余裕を持った大きさのものを容易に得ることができ、かつ、子扉に容易に装着することができる。
【００１８】
ただし、弾性材料によって形成された第１止水フィンと親扉との召し合わせ領域があまりに広くなると、第１止水フィンの弾性力によって親扉を閉めづらくなる。そのため、当該第１止水フィンの高さには制約があり、第１止水フィンの高さが低いほど、大量の水が掛かった場合等においては水が第１止水フィンを越えて浴室外に流出し易くなる。
【００１９】
第２の態様による浴室用開口部装置では、水が第１止水フィンを越えて浴室外へ流出してしまうことを、上記の止水壁によって抑制する。
【００２０】
したがって、第２の態様の浴室用開口部装置では、たとえ製造誤差が生じたとしても、高い水漏れ防止性能を得易い。
【００２１】
なお、第２の態様による浴室用開口部装置では、上記縦框の下端と上記下枠との間から水漏れが生じるのを防止するための所望の止水部を設けることが望ましい。この止水部の構造は、親扉の構造に応じて適宜選定可能である。
【００２２】
本発明による上述の作用および利得は、次に説明する実施の形態から明らかにされる。
【００２３】
【発明の実施の形態】
以下、本発明に係る実施形態について、図１〜図５を参照しつつ詳述する。
【００２４】
図１（Ａ）は、本実施形態による浴室用開口部装置６０が閉められているときに当該浴室用開口部装置６０を浴室外から正面視したときの概略図であり、図１（Ｂ）は、図１（Ａ）に示した浴室用開口部装置６０を構成している親扉２０および子扉３０をそれぞれ部分的に開けたときの状態を概略的に示す上面図である。ただし、図１（Ｂ）においては、図１（Ａ）に示した上枠１の図示を省略している。
【００２５】
これらの図に示すように、浴室用開口部装置６０は、上枠１、下枠３、および左右の横枠５ａ、５ｂによって構成される枠体１０と、枠体１０に取り付けられた中折れ戸からなる親扉２０と、枠体１０に取り付けられた片開き扉からなる子扉３０とを備えている。図１（Ｂ）に示すように、下枠３には、親扉２０の開閉を円滑に行うためにガイドレール３ａが形成されている。
【００２６】
親扉２０は、浴室側に押しながら横枠５ａ側にスライドさせることにより、開けることができる。親扉２０の浴室側の面には把持部２５が取り付けられている。一方、子扉３０は、浴室側に押すことにより、開けることができる。
【００２７】
後述するように、親扉２０と子扉３０とは、子扉３０における親扉２０側の縦框３２に設けられているパッキンおよび第１止水フィンが、親扉２０における子扉３０側の縦框２２と召し合うように設計されている。縦框３２の下端は、子扉３０における下框３４よりも親扉２０側に位置している。
【００２８】
このような構成を有する浴室用開口部装置６０には、親扉２０と子扉３０との召し合わせ部３５（図１（Ａ）参照）からの水漏れ、および、縦框３２の下端と下枠３との間からの水漏れを抑制するために、縦框３２における親扉２０側の下隅に特定形状の止水キャップが装着されている。以下、この止水キャップについて、図２〜図５を参照しつつ説明する。
【００２９】
図２は、子扉３０を閉めているときの縦框２２の下部と、当該下部に装着された上述の止水キャップ４０と、下枠３とを浴室外から見たときの様子を概略的に示す部分断面斜視図である。図２においては、便宜上、切断面にハッチングを付していないが、同図に示した縦框３２およびパッキン３３の上面は切断面であり、下枠３は長手方向の両端面が切断面となっている。
【００３０】
図示のように、下枠３にはガイドレール３ａによって分離された２つの排水溝３ｃ、３ｄが形成されており、縦框３２は、上面視したときにこれらの排水溝３ｃ、３ｄの両方に架かるようにして配置されている。
【００３１】
縦框３２における親扉２０（図１（Ａ）および図１（Ｂ）参照）側の内側には、当該縦框３２の上端から下端に達するように設計されたパッキン３３を保持するための保持部３２ａ、３２ｂが形成されており、当該縦框３２内には２つの隔壁３２ｃ、３２ｄが形成されている。実際には、保持部３２ａ、３２ｂのそれぞれにパッキン３３が保持されているが、後述する第１止水フィン５０を判り易くするために、図２では浴室側のパッキン３３のみを示している。
【００３２】
上述の止水キャップ４０は、正面視上の形状（縦框３２に装着されているものを浴室内からみときの形状）がＬ字状の部材であり、エラストマ等の弾性材料によって作製されている。
【００３３】
この止水キャップ４０における親扉２０側の側面には親扉２０と召し合う第１止水フィン５０が、また、下枠３側の側面には、縦框３２の幅方向に延在する第２止水フィン（図２においては現れていない。）と第３止水フィン５６とが形成されている。さらに、第１止水フィン５０の外側（浴室外側）には第１防水壁５２ａが形成され、第１止水フィン５０の内側（浴室内側）には第２防水壁５２ｂが形成されている。
【００３４】
縦框３２に装着された状態下においては、縦框３２の下端よりも止水キャップ４０の下面の方が下枠３側に突出しており、縦框３２は恰も止水キャップ４０上に載っている。
【００３５】
図３（Ａ）は、止水キャップ４０を浴室外から見たときの形状を概略的に示す斜視図であり、図３（Ｂ）は、止水キャップ４０を召し合わせ部３５（図１（Ａ）参照）側から見たときの形状を概略的に示す側面図であり、図３（Ｃ）は、止水キャップ４０を浴室内から見たときの形状を概略的に示す側面図である。
【００３６】
これらの図に示すように、止水キャップ４０は、縦框３２の幅方向に延在するベース４１を有しており、このベース４１における浴室外側の縁部には側壁４２ａが、浴室内側の縁部には側壁４２ｂが形成されている。また、ベース４１における親扉２０側の縁部には湾入部４３が形成され、下框３４（図１（Ａ）参照）側の縁部内側にはフランス落とし用の開口部４４が、下框３４側の縁部には下框３４に止水キャップ４０を係合させるための突出部４５が形成されている。
【００３７】
召し合わせ部３５からの水漏れを抑制し、かつ、親扉２０が閉まっているときには子扉３０が開かないようにするために、側壁４２ａにおける親扉２０側の端は、側壁４２ｂにおける親扉２０側の端よりも親扉２０側に突出している。
【００３８】
湾入部４３に面するようにして、ベース４１には当該ベース４１の上面から突出する楯状部４７が形成されており、楯状部４７の裏面（下枠３４側の面）には縦框３２中の隔壁３２ｃに係合する２つのフック４８ａ、４８ｂが形成されている。
【００３９】
また、楯状部４７における親扉２０側の側面には、止水キャップ４０を縦框３２に装着したときに当該縦框３２の高さ方向に延在し、かつ、上面視したときに湾入部４３内に突出する第１止水フィン５０が形成されている。この第１止水フィン５０の表側（浴室外側）には、当該第１止水フィン５０から上面視上離隔して第１止水壁５２ａが形成され、第１止水フィン５０の裏側（浴室内側）には、当該第１止水フィン５０から上面視上離隔して、第２止水壁５２ｂが形成されている。これら第１および第２止水壁５２ａ、５２ｂは、いずれも、楯状部４７における上記の側面から親扉２０側に突出している。
【００４０】
第１止水フィン５０は、楯状部４７における上記の側面に形成されて親扉２０と召し合う主フィン５０ａと、当該主フィン５０ａから浴室側に突出して形成された副フィン５０ｂとを有しており、主フィン５０ａにおける親扉２０側の縁部は浴室内側に反っている。
【００４１】
第１止水フィン５０の正面視上の幅は、第１止水壁５２ａおよび第２止水壁５２ｂそれぞれの正面視上の幅よりも広く、ベース４１の上面を基準にした第１止水フィン５０の高さは、ベース４１の上面を基準にした第１止水壁５２ａおよび第２止水壁５２ｂそれぞれの高さよりも高い。第１止水フィン５０と各パッキン３３とが見込み方向に並設されていることから、当該第１止水フィン５０と各パッキン３３とは見込み方向において部分的に重なる。
【００４２】
主フィン５０ａ、副フィン５０ｂ、第１止水壁５２ａ、および第２止水壁５２ｂそれぞれの下端は、ベース４１の下面よりも下方に突出している。
【００４３】
前述した第２止水フィン５４はベース４１の下面中央部に形成されており、第３止水フィン５６は第２止水フィン５４よりも浴室外側に形成されている。これら第２および第３止水フィン５４、５６は、いずれも、下枠３側の縁部がベース４１側の縁部よりも浴室外側に位置するように、ベース４１の下面から斜めに突出している。
【００４４】
図４に示すように、子扉３０が閉められいてるとき、第１止水フィン５０の下端はガイドレール３ａの上面に密着しており、第２止水フィン５４はガイドレール３ａの浴室側の側面に密着している。第３止水フィン５６は、下枠３に形成されている排水溝３ｄの上方に浴室外側から張り出している張り出し部３ｅの側面に密着している。なお、図中の参照符号７は、下枠３上に配置された蓋体を示している。
【００４５】
第１止水フィン５０と第２止水フィン５４とが上述の位置関係にあることから、止水キャップ４０では、浴室内側から見て略Ｌ字状の止水ラインが第１止水フィン５０と第２止水フィン５４とによって形成される。召し合わせ部３５側から見ると、第１水フィン５０による止水イランと、第２止水フィン５４による止水ラインとは、略一直線上に位置する。
【００４６】
このような構成を有する浴室用開口部装置６０では、第１止水フィン５０と親扉２０とが前述のように召し合わされ、正面視したときに第１止水フィン５０とパッキン３３とが部分的に重なり、そして、第１止水フィン５０と第２止水フィン５４とが上述の止水ラインを形成していることから、たとえ当該浴室用開口部装置６０の製造誤差によってパッキン３３の長手方向の一端が縦框３２の高さ方向の下端に達しない場合であっても、召し合わせ部３５（図１参照）からの水漏れ、および、縦框３２の下端とガイドレール３ａとの間からの水漏れを抑制することができる。第３止水フィン５６を有していることから、縦框３２の下端と下枠３との間からの溝漏れが更に抑制される。
【００４７】
また、第１止水フィン５０および第２止水フィン５４が１つの止水キャップ４０に形成されているので、上記の止水ラインに誤差が生じづらく、かつ、止水キャップ４０を縦框３２の下隅に装着するだけで上記の止水ラインを所望の位置に配置することができるので、浴室用開口部装置６０に高い水漏れ防止性能を付与し易い。
【００４８】
図５（Ａ）に示すように、浴室用開口部装置６０は、親扉２０における縦框２２と第１止水フィン５０とが召し合う他に、縦框２２とパッキン３３も召し合うように設計されるが、図５（Ｂ）に示すように、縦框２２とパッキン３３とが設計通りには召し合わない場合もある。
【００４９】
このような場合でも、第１止水フィン５０（止水キャップ４０）をエラストマ等の弾性材料によって形成することにより、縦框２２と召し合ううえで余裕を持った大きさの第１止水フィン５０を容易に得ることができるので、浴室用開口部装置６０に高い水漏れ防止性能を付与し易い。
【００５０】
ただし、親扉２０と召し合う第１止水フィン５０の高さがあまりに高くなると、第１止水フィン５０の弾性力によって親扉２０を閉めづらくなる。そのため、第１止水フィン５０の高さには制約があり、第１止水フィン５０の高さを低くすれば低くするほど、大量の水が掛かった場合等において当該水が第１止水フィン５０を越え易くなる。
【００５１】
上述の止水キャップ４０では、第１止水フィン５０の裏側（浴室内側）に第２止水壁５２ｂが形成されているので、仮に縦框２２とパッキン３３との間から勢いよく水が侵入したとしても、第２止水壁５２ｂによって水の勢いが抑えられる。その結果として、水が第１止水フィン５０を越えることが抑制される。
【００５２】
また、仮に水が第１止水フィン５０を超えたとしても、第１止水フィン５０の表側に第１止水壁５２ａが形成され、その外側にパッキン３３が配置されているので、たとえパッキン３３の下端が縦框３２の下端（ベース４１の上面）に達していなくても、下枠３に形成されている排水溝３ｄを越えて浴室外に流出することが抑制される。
【００５３】
以上、現時点において最も実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う浴室用開口部装置もまた、本発明の技術的範囲に包含されるものとして理解されなければならない。
【００５４】
例えば、親扉を上吊りタイプとした場合等においては、下枠３からガイドレール３ａを省略することも可能である。下枠３にガイドレール３ａがない場合には、例えば、第１止水フィン５０の下端をベース４１の下面と同じ位置に形成することができる。この場合、第２止水フィン５４を設けるか否かは適宜選択可能であり、第２止水フィン５４を設けるときには、必要に応じて当該第２止水フィン５４を第１止水フィン５０の下方にまで延長させることができる。
【００５５】
第１止水フィン５０の他に第２止水フィンを併用する場合には、第１止水フィン５０と第２止水フィン５４とを別々の部材に形成し、これらの部材を縦框３２の下隅に別々に装着することもできる。
【００５６】
第１止水フィン５０は、製造誤差によってパッキン３３の下部が十分に機能しないときのことを考えると、第１止水壁５２ａおよび第２止水壁５２ｂと併用することが好ましいが、パッキン３３の機能が十分に発揮されていさえすれば、第１止水壁５２ａおよび第２止水壁５２ｂと併用せずに単独で使用することも可能である。
【００５７】
その他、種々の変更、改良、組み合わせ等が可能なことは当業者に自明であろう。
【００５８】
【発明の効果】
以上説明したように、請求項１の発明によれば、子扉と親扉との召し合わせ部下部からの水漏れをパッキンと第１止水フィンとによって抑制し、子扉における親扉側の縦框下端とガイドレールとの間からの水漏れを第２止水フィンによって抑制することができるので、折れ戸からなる親扉と片開き扉からなる子扉とを備えた浴室用開口部装置であって、水漏れ防止性能の高い浴室用開口部装置を得ることが容易になる。
【００５９】
また、請求項２の発明によれば、子扉と親扉との召し合わせ部下部からの水漏れを第１止水フィンによって抑制することができ、かつ、仮に召し合わせ部に水が勢いよく侵入したとしても、少なくとも第１止水フィンの裏側（浴室内側）に配置された止水壁によって水の勢いを抑えて、当該水が第１止水フィンを越えるのを抑制することができ、たとえ水が第１止水フィンを超えたとしても、第１止水フィンの表側（浴室外側）にも止水壁を設けることによって当該水が浴室外へ流出するのを抑制することができるので、折れ戸からなる親扉と片開き扉からなる子扉とを備えた浴室用開口部装置であって、水漏れ防止性能の高い浴室用開口部装置を得ることが容易になる。
【図面の簡単な説明】
【図１】図１（Ａ）は、本発明の一実施形態による浴室用開口部装置が閉められているときに当該浴室用開口部装置を浴室外から正面視したときの概略図であり、図１（Ｂ）は、図１（Ａ）に示した浴室用開口部装置を構成している親扉２０および子扉３０をそれぞれ部分的に開けたときの状態を概略的に示す上面図である。
【図２】図１（Ａ）および図１（Ｂ）に示した子扉における親扉側の縦框の下部と、当該下部に装着された止水キャップと、枠体を構成している下枠とを、前記子扉が閉められている状態下で浴室外から見たときの様子を概略的に示す部分断面斜視図である。
【図３】図３（Ａ）は、図２に示した止水キャップを浴室外から見たときの形状を概略的に示す斜視図であり、図３（Ｂ）は、図２に示した止水キャップを召し合わせ部側から見たときの形状を概略的に示す側面図であり、図３（Ｃ）は、図２に示した止水キャップを浴室内から見たときの形状を概略的に示す側面図である。
【図４】図２に示した止水キャップおよび下枠を、図１（Ａ）および図１（Ｂ）に示した子扉が閉められいてるときに召し合わせ部側から見たときの様子を概略的に示す側面図である。
【図５】図５（Ａ）は、図１（Ａ）および図１（Ｂ）に示した浴室用開口部装置において、子扉に配置されているパッキンが設計通りに機能しているときの様子を概略的に示す水平断面図であり、図５（Ｂ）は、図１（Ａ）および図１（Ｂ）に示した浴室用開口部装置において、子扉に配置されているパッキンが設計通りに機能せずに間隙が生じているときの様子を概略的に示す水平断面図である。
【符号の説明】
３…下枠
３ａ…ガイドレール
１０…枠体
２０…折れ戸からなる親扉
３０…片開き扉からなる子扉
３２…子扉における親扉との召し合わせ側の縦框
３３…パッキン
３５…召し合わせ部
５０…第１止水フィン
５２ａ…第１止水壁
５２ｂ…第２止水壁
５４…第２止水フィン
６０…浴室用開口部装置
【図１】
2004137775.tif 000003
【図２】
2004137775.tif 000004
【図３】
2004137775.tif 000005
【図４】
2004137775.tif 000006
【図５】
2004137775.tif 000007